(57)【要約】【課題】  液晶を用いることなく、蝋燭の炎の揺らぎを表現できる電子キャンドルを提供する。【解決手段】  ＣＰＵ３は内蔵しているプログラムに基づいて、ＰＷＭ制御によりトランジスタＱ１〜Ｑ９をオン，オフさせ、発光ダイオードＬＥＤ１〜ＬＥＤ３の各発光素子Ｒ１〜Ｂ１，Ｒ２〜Ｂ２，Ｒ３〜Ｂ３における同一素子内の点灯時間の比率を一定にし、かつ各発光ダイオードの点灯を制御し、レセプタクルを介して火屋内で色相を変化させることなく、揺らぎの表現を行う。【選択図】      図４
2005353415.tif 000002
【特許請求の範囲】
【請求項１】
それぞれが複数の異なる色を発光する発光素子を含む少なくとも２個の発光源と、
前記各発光源によって発光される同一素子内の色の比率を一定にしながら、各発光源の点灯期間を制御することで色相を変えることなく光の揺らぎを制御する制御手段を備えた、電子キャンドル。
【請求項２】
前記発光源は、赤色，緑色および青色のそれぞれの光を発光する発光素子を含み、
前記制御手段は、各発光源における同一素子内の赤色，緑色および青色の発光色の点灯時間の比率を一定にし、かつ一方の発光源の駆動期間を短くしながら、他方の発光源の駆動期間を長く制御する、請求項１に記載の電子キャンドル。
【請求項３】
さらに、前記各発光源から発光された光を拡散させるためのレセプタクルを含む、請求項１または２に記載の電子キャンドル。
【請求項４】
前記レセプタクルは各発光源に対応して分割されている、請求項３に記載の電子キャンドル。
【請求項５】
前記複数の発光源を埋め込む平面部材を含み、
前記平面部材の発光源上に容器を載置することで、前記発光源からの光を前記容器で拡散させる、請求項１または２に記載の電子キャンドル。
【請求項６】
単色の色を発光する少なくとも２個の発光源と、
前記少なくとも２個の発光源の点灯期間をパルス幅変調して光の揺らぎを制御する制御手段とを備えた、電子キャンドル。
【発明の詳細な説明】
【技術分野】
【０００１】
この発明は電子キャンドルに関し、特に、蝋燭の代わりに発光源として発光ダイオードを用いた電子キャンドルに関する。
【背景技術】
【０００２】
蝋燭の代わりに用いられる電子キャンドルとして、特開２００２−２７００１３号公報（文献１）に記載されたものがある。この例では、ＣＰＵによって透過型液晶の透過形状を制御し、発光ダイオードの光を透過型液晶に照射し、液晶を透過してきた光を乳白色の樹脂やスリのかかったガラスからなるレセプタクルによって散乱させることにより、蝋燭の炎の明暗の変化や揺らぎを表現する。
【特許文献１】特開２００２−２７００１３号公報（段落番号００１０，００１１、図１）
【発明の開示】
【発明が解決しようとする課題】
【０００３】
特許文献１では、透過型液晶の透過形状を制御しているため、部品のコストが高くなってしまうという問題がある。
【０００４】
そこで、この発明の目的は、液晶を用いることなく、蝋燭の炎の揺らぎを表現できる電子キャンドルを提供することである。
【課題を解決するための手段】
【０００５】
この発明は、それぞれが複数の異なる色を発光する発光素子を含む少なくとも２個の発光源と、各発光源によって発光される同一素子内の色の比率を一定にしながら、各発光源の点灯期間を制御することで色相を変えることなく光の揺らぎを制御する制御手段を備える。
【０００６】
好ましくは、発光源は、赤色，緑色および青色のそれぞれの光を発光する発光素子を含み、制御手段は各発光源における同一素子内の赤色，緑色および青色の発光色の点灯時間の比率を一定にし、かつ一方の発光源の駆動期間を短くしながら、他方の発光源の駆動期間を長く制御する。
【０００７】
好ましくは、各発光源から発光された光を拡散させるためのレセプタクルを含む。
【０００８】
好ましくは、レセプタクルは各発光源に対応して分割されている。
【０００９】
好ましくは、複数の発光源を埋め込む平面部材を含み、平面部材の発光源上に容器を載置することで、発光源からの光を容器で拡散させる。
【００１０】
この発明の他の局面は、単色の色を発光する少なくとも２個の発光源と、少なくとも２個の発光源の点灯期間をパルス幅変調して光の揺らぎを制御する制御手段とを備える。
【発明の効果】
【００１１】
この発明によれば、透過型液晶の透過形状を制御することなく、発光源によって発光される色の比率を一定にしながら、各発光源の点灯期間を制御することで、色相を変えることなく光の揺らぎを制御することができるので、部品点数を減らすことができ、コストを低減できる。また、発光源として発光ダイオードを用いれば、使用電力も少なくでき、火を利用していないため、火災の発生も防止できる。
【発明を実施するための最良の形態】
【００１２】
図１はこの発明の一実施形態における電子キャンドルの全体の構成を示す外観図であり、図２はレセプタクルと発光ダイオードとの配置を示す図であり、図３は発光ダイオードの配置例を示す図である。
【００１３】
図１において、レセプタクル１を覆うように火屋２が設けられている。レセプタクル１の下部には、発光源として図２に示すように少なくとも２個、より好ましくは３個の発光ダイオードＬＥＤ１〜ＬＥＤ３が配置されている。３個の発光ダイオードＬＥＤ１〜ＬＥＤ３は図３に示すようにそれぞれが１２０度の間隔を有するように配置されている。
【００１４】
発光ダイオードＬＥＤ１〜ＬＥＤ３は後述の図４に示す制御回路で点灯制御されて色の変化および揺らぎの表現が行われる。レセプタクル１は、例えば乳白色の樹脂やスリのかかったガラスで形成されていて、発光ダイオードＬＥＤ１〜ＬＥＤ３で発光された光を火屋２内で拡散させる。レセプタクル１は各発光ダイオードＬＥＤ１〜ＬＥＤ３のそれぞれに対応して縦方向に３分割されており、発光ダイオードＬＥＤ１〜ＬＥＤ３のそれぞれで発光された光はレセプタクル１に入射されて拡散される。火屋２は透明あるいは乳白色のガラスあるいは樹脂で形成されている。
【００１５】
図４はこの発明の一実施形態における電子キャンドルの制御回路を示すブロック図である。図４において、ＣＰＵ３は各発光ダイオードＬＥＤ１〜ＬＥＤ３をＰＷＭ（Ｐｕｌｓｅ  Ｗｉｄｔｈ  Ｍｏｄｕｌａｔｉｏｎ：パルス幅変調）により点灯制御するものであり、内蔵するメモリ３１にそのためのプログラムを記憶している。発光ダイオードＬＥＤ１〜ＬＥＤ３は、それぞれ赤（Ｒ），緑（Ｇ），青（Ｂ）の３原色の発光素子Ｒ１，Ｇ１，Ｂ１，Ｒ２，Ｇ２，Ｂ２，Ｒ３，Ｇ３，Ｂ３を内蔵している。
【００１６】
ＣＰＵ３は各ＬＥＤ１〜ＬＥＤ３のそれぞれの発光素子Ｒ１〜Ｂ３に対応して、ＲＧＢの制御信号を出力し、抵抗Ｒ１０〜Ｒ１８を介してトランジスタＱ１〜Ｑ９のベースに与える。トランジスタＱ１〜Ｑ９のそれぞれのエミッタは接地され、それぞれのコレクタは抵抗Ｒ１〜Ｒ９を介して発光ダイオードＬＥＤ１〜ＬＥＤ３の各発光素子Ｒ１〜Ｂ３のカソードに接続されている。発光ダイオードＬＥＤ１〜ＬＥＤ３の各発光素子Ｒ１〜Ｂ３のアノードには図示しない電源回路から所定の直流電圧が供給されている。
【００１７】
図５〜図７はこの発明の一実施形態における電子キャンドルの動作を説明するためのタイミング図である。図４に示したＣＰＵ３によって各発光ダイオードＬＥＤ１〜ＬＥＤ３の各発光素子Ｒ１〜Ｂ３を駆動して揺らぎを変化させるために、図５（ａ）に示す駆動信号または図５（ｂ）に示す駆動信号がＣＰＵ３から出力される。駆動信号は最小値が１００μｓ〜５００μｓの間の５段階と、最大値が２ｍｓ〜１０ｍｓの間の５段階で設定可能にされている。さらに、最小値と最大との間を１００μ間隔で２０段階に設定可能にされている。したがって、１００ステップで揺らぎの変化を制御できる。このような駆動信号の周期を変化させるためには、ＣＰＵ３に切換スイッチを接続しておき、切換スイッチを切換えることで周期を変化させればよい。
【００１８】
図６および図７は、一例として発光ダイオードＬＥＤ１，２の各発光素子Ｒ１〜Ｂ１，Ｒ２〜Ｂ２の駆動タイミングを示しており、ＬＥＤ１とＬＥＤ２をＰＷＭ制御し、発光ダイオードＬＥＤ１が点灯している状態から発光ダイオードＬＥＤ２に点灯が移行して行く状態を示している。
【００１９】
より具体的には、図６および図７では、ＬＥＤ１の発光素子Ｒ１を１００％、Ｇ１を５０％、Ｂ１を０％の点灯比率で点灯させながら、ＬＥＤ２の発光素子Ｒ２を１００％、Ｇ２を５０％、Ｂ２を０％で点灯するように制御することで色相を変化させることなく光のゆらぎを変化させている。
【００２０】
図６（ａ）ではＴ＝１０ｍｓの期間でＬＥＤ１の発光素子Ｒ１を点灯させ、発光素子Ｇ１をＴ／２の期間点灯させ、発光素子Ｂ１を消灯させることで、ＬＥＤ１は黄色がかった赤色で点灯している。このとき、ＬＥＤ２の発光素子Ｒ２をＴより短いｔ１の期間だけ点灯し、発光素子Ｇ２をｔ１／２の期間点灯させ、Ｂ２を消灯させている。なお、Ｔの期間は１０ｍｓに設定されているが、図５に示したように１００μから１０ｍｓの２００段階のいずれかの値に選ぶことが可能である。
【００２１】
図６（ｂ）〜（ｃ）および図７（ａ），（ｂ）では、発光ダイオードＬＥＤ１の発光素子Ｒ１，Ｇ１の点灯期間を順次減少させながら、発光ダイオードＬＥＤ２の発光素子Ｒ２，Ｇ２の点灯期間を順次増やしている。これにより、色相を変化させずにＬＥＤ１側からＬＥＤ２側への揺らぎを変化させることができる。
【００２２】
上述のごとく、この実施形態によれば、ＣＰＵ３は内蔵しているプログラムに基づいて、ＰＷＭ制御によりトランジスタＱ１〜Ｑ９をオン，オフさせて発光ダイオードＬＥＤ１〜ＬＥＤ３における同一の発光素子の点灯比率一定にしながらを各発光ダイオードＬＥＤ１〜ＬＥＤ３の点灯期間を制御することで、レセプタクル１を介して火屋２内で光の色相を変化させることなく、揺らぎの表現を行うことができる。
【００２３】
なお、上述の実施形態では、発光ダイオードＬＥＤ１〜ＬＥＤ３の色相を変えることなく光の揺らぎを制御するようにしたが、プログラムにより色の配合比率を切換えることで一定期間ごとに色相が変わるように制御してもよい。
【００２４】
図８はこの発明の他の実施形態におけるコースタを利用した電子キャンドルを示す斜視図であり、図９はコースタを利用した電子キャンドル上にガラスコップを置いた状態を示す図である。
【００２５】
図８において、平面部材としてのコースタ４は図９に示すように、その上にガラスコップ５が置かれる。コースタ４は所定の厚みを有するように形成されており、内部にＬＥＤ１〜ＬＥＤ３が配置されているとともに、図４に示した制御回路が収納されている。ＬＥＤ１〜ＬＥＤ３は、図４と同様にしてＲＧＢの発光素子を内蔵しており、制御回路によって点灯制御される。
【００２６】
この例では、図示しないテーブルの上にコースタ４を載置し、その上に飲み物を入れたガラスコップ５を置くことで、あたかもガラスコップ５内で蝋燭の火が揺らいでいるように見えることができるので、キャンドルとして従来にない雰囲気を味わうことができる。
【００２７】
なお、上述の実施形態では、発光源として発光ダイオードＬＥＤ１〜ＬＥＤ３を用いるようにしたが、これに限ることなく、Ｒ，Ｇ，Ｂの色を発光する素子であれば他の発光素子を用いてもよい。
【００２８】
また、いずれかの一色のみを発光する単色の発光素子を用いてＰＷＭ制御することにより光の揺らぎを制御するようにしてもよい。
【００２９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３０】
この発明の電子キャンドルは、発光ダイオードによって発光される色の比率を一定にしながら、各発光ダイオードの点灯期間を制御することで色相を変えることなく光の揺らぎを制御することができるので、従来の蝋燭に代えて利用できる。
【図面の簡単な説明】
【００３１】
【図１】この発明の一実施形態における電子キャンドルの全体の構成を示す外観図である。
【図２】レセプタクルと発光ダイオードとの配置を示す図である。
【図３】発光ダイオードの配置例を示す図である。
【図４】この発明の一実施形態における電子キャンドルの制御回路を示すブロック図である。
【図５】この発明の一実施形態における電子キャンドルの動作を説明するための駆動信号のタイミング図である。
【図６】発光ダイオードＬＥＤ１，２の各発光素子Ｒ１〜Ｂ１，Ｒ２〜Ｂ２の駆動タイミングを示す図である。
【図７】発光ダイオードＬＥＤ１，２の各発光素子Ｒ１〜Ｂ１，Ｒ２〜Ｂ２の駆動タイミングを示す図である。
【図８】この発明の他の実施形態におけるコースタを利用した電子キャンドルを示す斜視図である。
【図９】コースタを利用した電子キャンドル上にガラスコップを置いた状態を示す図である。
【符号の説明】
【００３２】
１  レセプタクル、２  火屋、３  ＣＰＵ、４  コースタ、５  ガラスコップ、３１  メモリ、ＬＥＤ１〜ＬＥＤ３  発光ダイオード、Ｒ１，Ｇ１，Ｂ１，Ｒ２，Ｇ２，Ｂ２，Ｒ３，Ｇ３，Ｂ３  発光素子、Ｒ１〜Ｒ１８  抵抗、Ｑ１〜Ｑ９  トランジスタ。
【図１】
2005353415.tif 000003
【図２】
2005353415.tif 000004
【図３】
2005353415.tif 000005
【図４】
2005353415.tif 000006
【図５】
2005353415.tif 000007
【図６】
2005353415.tif 000008
【図７】
2005353415.tif 000009
【図８】
2005353415.tif 000010
【図９】
2005353415.tif 000011